(57)【要約】【課題】この発明は、自動車メーカーや機械メーカーの部品図番をスピーデイに読み取れる事と、間違い防止のため、それを短くできるように十進法以上で桁を形成する置き換え図番帳と伝票を提供する。【解決手段】部品図番の桁の数字を、または他の番号の桁の数字を、文字や記号に置き換え図番表とする、または、そこに数字を組み合わせて置き換え図番表とする、そして両方とも数字をそこから変換して転記し部品図番帳と伝票を形成する。【選択図】図１
2015007950.tif 000002
【特許請求の範囲】
【請求項１】
部品図番の桁の数字を、または他の番号の桁の数字を、文字や記号に置き換え図番表とする、または、そこに数字を組み合わせて置き換え図番表とする、そして両方とも数字をそこから変換して転記し部品図番帳と伝票を形成することを特徴とする、十進法以上の桁で形成する置き換え部品図番帳と伝票。
【発明の詳細な説明】
【技術分野】
【０００１】この発明は、自動車メーカーや機械メーカーの部品図番をスピーデイに読み取れる事と、間違い防止のため、それを短くできるように十進法以上で桁を形成する置き換え図番帳と伝票と、その他の番号に関するものである。
【背景技術】
【０００２】  従来、自動車や機械は、数多くの部品より組み立てられ、その部品には番号が付けられ、図と共に記載し部品図番帳としている。
または、それを電子化して使用している場合もある。
そして自動車や機械は、利便性を高めるためや、ニーズの多様化によって複雑化し、それによって部品数は、益々増える傾向にある。
部品図番の表記の形態は、そのほとんどが途中をハイホンで区切っている。
部品数増加に伴い、部品図番が増えるので、桁を増やす必要から、必然的にそれが長くなる。
例えば、片方だけで６桁や７桁となっているケースは多い。
そのような部品図番は、ハイホンの両側を足すと１２桁を超えるような図番もある。
そこで、それを確実に読み取りするには、一回では難しく数回に分けて読み取っていることもある。
それは面倒で時間もかかった。
また、長い図番は読み間違えの発生し易い欠点があった。
その他、自動車や機械の組み立て工場には、多品種の部品を頻繁に扱う部品の供給現場があり、長い部品図番を間違い無いように慎重に読み取りしてから出庫していたが、それは伝票が付きもので、出庫伝票によって出庫していた。
また、部品発注は、発注伝票などがあり、部品納品では、納品伝票がある。
そこで部品には、連絡用として伝票が付きものである。
【発明の開示】
【発明が解決しようとする課題】
【０００３】  本発明により部品図番帳の長い部品図番を、桁数を短く置き換えて、読み取りやすく、それをスピーデイにできること。
また、部品図番の読み取り間違いを防止して、出庫部品の間違いを減らすこと。
伝票については、部品出庫伝票による出庫部品の間違いを減らせ、労力の軽減と時間短縮ができること。
そして部品の納品の場合でも、間違いが減らせ、労力の軽減と時間短縮ができること。
さらに、部品発注においても、間違いが減らせ、労力の軽減と時間短縮ができること。
他の長い数字も、桁数を短く置き換えてスピーデイに読み取れて、間違いが減らせ労力の軽減と時間短縮ができること。
また、コンピューターのプログラムの番号も短くなって早い演算ができること。
【課題を解決するための手段】
【０００４】  本発明は上記課題を解決する為のもので、
部品図番の桁の数字を、または他の番号の桁の数字を、文字や記号に置き換え図番表とする、または、そこに数字を組み合わせて置き換え図番表とする、そして両方とも数字をそこから変換して転記し部品図番帳と伝票を形成する。
【発明の効果】
【０００５】  本発明により長い部品図番の桁数を短く置き換えることができたので、読みやすくなり、しかも数字だけではないので、何度も読み返さなくとも頭に入り易く、スピーデイに行えるようになった。
そこで部品図番の読み取り間違いも減少できた。
そして、伝票については、具体的に多品種の部品を頻繁に扱う現場などがあり、部品出庫伝票による出庫部品の間違いを減らせたので、労力の軽減と時間短縮ができた。
そして部品の納品の場合でも、間違いが減らせ、労力の軽減と時間短縮ができた。
さらに、部品発注においても、間違いが減らせ、労力の軽減と時間短縮ができた。
他の長い数字も、桁数を短く置き換えてスピーデイに読み取れて、間違いが減らせ労力の軽減と時間短縮ができた。
また、その他の番号も短くなって解り易くなった。
その他、丸文字を使用するとコンピューターの演算が早くなった。
【発明を実施するための最良の形態】
【０００６】  構造を図１、図２、図３、図７、図１２、図１３に示すように、
部品図番の桁の数字を、または他の番号の桁の数字を、文字や記号に置き換え図番表とする、または、そこに数字を組み合わせて置き換え図番表とする、そして両方とも数字をそこから変換して転記し部品図番帳と伝票を形成する。【０００７】  図２に示すように、数字をひらがなやカタカナに置き換える図番表とした。
そこから照合して変換し図１に示す部品図番帳を形成した。
そして、図２に示すように、ひらがなとカタカナで形成し濁音も使用して数の足しにした。
他には、子音を数の足しにしても良い。
具体的には、００から９９までを、数字から文字に置き換えて図番表とした。
図１に示すように、従来の部品図番は、図２の図番表から部品図番帳を形成した。【０００８】  そして数の進度を１００進法として、置き換えた文字をそれぞれの桁に当てはめて、１００進法の最大値の９９をドとして置き換えた。
また、図２に示すように従来の部品図番の数字の部分は十進法として表記しているので、７７９９９７となり、本発明で置き換えるとフドヅと短く表記される。
このように３桁の図番で６桁の部品図番を表記できるので、識別は容易となる。
尚、部品図番帳に従来の部品図番があるが、必要に応じて記載しても、しなくても良い。【０００９】  本発明を使用するときは、従来からある部品図番を、図番表に照合して、部品図番帳とすることで、図番が短くなり、数字のみの使用とは比較にならず、簡単に読めて頭に入り易くなった。
また、見やすくなることで何度も読み返す必要が減り、読みやすく、スピーデイに行えるようになった。
さらに部品図番の読み取り間違いを減少できた。
そこで従来の煩わしさは解消され、注意しなければならない間違いは減少し、労力の軽減と時間短縮ができた。
【実施例１】
【００１０】  ここに実施例１を示す。
図３に示すように、漢字に置き換える図番表とした。
この図番表でも００から９９までを漢字で置き換える事がでた。
図４に示すように、この図番表に、照合して部品図番帳を形成した。
そこで、このように漢字を使用しても、ひらがなやカタカナで部品図番帳を形成した場合と同様の効果がある。
【実施例２】
【００１１】  この実施例２では、
図５に示すように、自主製作した記号を用いて、００から９９までを置き換えて図番表とした。
図６に示すように、この図番表に照合して部品図番帳を形成した。
そこで、このように記号を使用しても、ひらがなやカタカナなどの文字で部品図番帳を形成したのと同様の効果がある。
それはギリシャ字などでも同様の効果がある。
【実施例３】
【００１２】  この実施例３では、図７に示すように数字、そして文字、ギリシャ数字や記号、そして漢字を組み合わせて置き換える図番表とし、そこから照合して図８に示す図番帳とした。
2015007950.tif 000003
の環境依存文字を使用しても良い。
そして、この図番表でも００から９９までの数字を置き換える事がでた。
それで、このように数字、そして文字や記号を組み合わせて使用しても、ひらがなやカタカナで部品図番帳を形成したのと同様の効果がある。
また、アルファベットについて、従来は識別用に使用していた場合もあるが、数字の置き換え文字として組み合わせて使用しても良い。
図９に示すように、記号を多く使用しても良い。
図１０に示すように、自主製作した文字で製作した図番表でも良い。
【実施例４】
【００１３】  この実施例４では、千進法を説明する。
図１１は、千進法を示し、１００の桁は、曲線の上部バーで表し、２００の桁は、かぎの曲線のバーで表した。
３００の桁は、曲線の上部バーに、下部の曲線バーを足して表した。
４００の桁は、曲線のコの字のバーで表した。
５００の桁は、四角の曲線のバーで表した。
以下、このように様々な簡単な記号を当てはめて千進法とした。
これは、ひらがなとカタカナを図２より用いて、００から９９までの桁とした。
このように組み合わせて使用すると、千進法の置き換え図番表ができて、この図番表から置き換えて、部品図番帳、または伝票、その他コンピューターソフトが製作できる。【００１４】  部品伝票とその他の番号について述べる。
部品には、出庫する場合、納品する場合、受注する場合には、伝票が付きものである。
そして、その他にも様々な伝票がある。
図１２、図１３に示すように、現品票や部品出庫伝票に、図２より、部品図番をお置き換えて表記した。
また、現品票では、オーダー番号も置き換えて表記した。
そこで本発明では、様々な置き換える図番表を利用して、様々な伝票に転記して表記できる。
すると、その伝票は、部品図番が短くなって、部品を出庫する場合、納品する場合、受注する場合には、図番を簡単に読めて頭に入り易くなった。
また、見やすくなることで何度も読み返す必要が減り、読みやすく、スピーデイに行えるようになった。
さらに部品図番の読み取り間違いを減少できた。
そこで、自動車や機械の組み立て工場には、多品種の部品を頻繁に扱う部品の供給現場がある。
そして従来は部品出庫伝票による出庫部品は長い部品図番を間違い無いように慎重に読み取りしてから出庫していたが、この煩わしさは解消され、注意しなければならない間違いは減少し、労力の軽減と時間短縮ができた。
そして部品の納品の場合でも、間違いが減らせ、労力の軽減と時間短縮ができた。
さらに、部品発注においても、間違いが減らせ、労力の軽減と時間短縮ができた。
他に、長い数字のオーダー番号やロット番号などでも、効果を発揮できる。【００１５】  本発明により、製造現場や部品供給現場において、今まで長い間解決できなかった問題を解決できた。
本発明は、上記した様々な利点があるが、文字のつながりで、性器やくそなどの不快なつながりは、あらかじめ削除すると問題はない。
さらに部品総数が解るようにすると良い。
他に、図１４に示すように、丸文字を使用するとコンピューターの演算が早くなり有効利用できる。
【図面の簡単な説明】
【００１６】
【図１】  本発明、部品図番帳の斜視図
【図２】  本発明の実施例、ひらがなやカタカナに置き換える図番表を示す説明図
【図３】  本発明の実施例、漢字に置き換える図番表を示す説明図
【図４】  本発明の実施例、漢字で置き換えた部品図番帳の斜視図
【図５】  本発明の実施例、自主製作した記号を用いた図番表を示す説明図
【図６】  本発明の実施例、自主製作した記号で置き換えた部品図番帳の斜視図
【図７】  本発明の実施例、数字、文字、アルハベット、記号を組み合わせた図番表を示す説明図
【図８】  本発明の実施例、図７の図番表を使用した部品図番帳の斜視図
【図９】  本発明の実施例、数字、文字で記号を多く組み合わせた図番表を示す説明図
【図１０】  本発明の実施例、自主製作した記号を用いた他の図番表を示す説明図
【図１１】  本発明の実施例、千進法を示す部品図番表の説明図
【図１２】  本発明の実施例、部品伝票の斜視図
【図１３】  本発明の実施例、他の部品伝票の斜視図
【図１４】  本発明の実施例、丸文字で千進法を示す部品図番表の説明図
【符号の説明】
【００１７】１部品図番帳、２図番表
【図１】
2015007950.tif 000004
【図２】
2015007950.tif 000005
【図３】
2015007950.tif 000006
【図４】
2015007950.tif 000007
【図５】
2015007950.tif 000008
【図６】
2015007950.tif 000009
【図７】
2015007950.tif 000010
【図８】
2015007950.tif 000011
【図９】
2015007950.tif 000012
【図１０】
2015007950.tif 000013
【図１１】
2015007950.tif 000014
【図１２】
2015007950.tif 000015
【図１３】
2015007950.tif 000016
【図１４】
2015007950.tif 000017